(57)【要約】      （修正有）【課題】キャップと保持部の装着・取り外しを容易に行なうことのできるキャップホルダの提供。【解決手段】キャップホルダ１は、下面のキャップ装着口２から装入されたボトルＢのキャップＰを着脱可能に保持する保持部３と、ボトルＢの首部Ｂ１に掛止される掛止部と、保持部３と掛止部とをつなぐ連繋条部４とを備えるものであって、保持部３の天板６の上下貫通孔７に軸体８を上下移動自由に挿通し、天板下方位置の軸体８に抜け止め掛止部９を設け、天板上方位置の軸体８に押下ボタン部１０を設け、天板上方位置の軸体８または押下ボタン部１０に連繋条部４を連結し、押下ボタン部１０の下降により軸体８の抜け止め掛止部９が保持部３内のキャップＰを押下する構成にされている。【選択図】図３
0003135961.tif 000002
【実用新案登録請求の範囲】
【請求項１】
下面にキャップ装着口を有する有天筒状に形成されていて前記キャップ装着口から装入されたボトルのキャップを着脱可能に保持する保持部と、ボトルの首部に掛止される掛止部と、保持部と掛止部とをつなぐ連繋条部とを備えるキャップホルダであって、
保持部の天板に形成された上下貫通孔に軸体を上下移動自由に挿通し、天板下方位置の軸体に抜け止め掛止部を設けるとともに天板上方位置の軸体に押下ボタン部を設け、天板上方位置の軸体または押下ボタン部に連繋条部を連結し、押下ボタン部の下降により軸体の抜け止め掛止部が保持部内のキャップを押下する構成としたことを特徴とするキャップホルダ。
【請求項２】
保持部およびキャップの重みにより垂れ下がる可撓性材料から構成された連繋条部で、保持部と掛止部とをつないだ請求項１に記載のキャップホルダ。
【請求項３】
掛止部と、所定の剛性を有する剛性材料から構成された保持部とを連繋条部でつないだ請求項１または請求項２に記載のキャップホルダ。
【請求項４】
垂れ下がった保持部がボトル側面の手で持たれる部分に届く長さの連繋条部で、保持部と掛止部とをつないだ請求項２または請求項３に記載のキャップホルダ。
【請求項５】
保持部の内周面に、径方向内向きに突出した複数の突条が周方向所定ピッチで形成されている請求項１から請求項４のいずれか一項に記載のキャップホルダ。
【考案の詳細な説明】
【技術分野】
【０００１】
本考案は、飲料用ボトルのキャップに被せられてキャップを保持するキャップホルダに関するものである。
【背景技術】
【０００２】
上記した飲料用ボトルとして、ポリエチレンテレフタレート（ＰＥＴ）製のいわゆるペットボトルが広く出回っている。このようなペットボトルの飲料は複数回に分けて飲まれることが多く、その都度キャップが開閉される。しかしながら、キャップとボトルが別体であるため、取り外したキャップを不注意により落としたり紛失したりすることがある。
そこで、下記の特許文献１〜３に記載されているように、下面にキャップ装着口を有しこのキャップ装着口から装入されたボトルのキャップを着脱可能に保持する保持部と、ボトルの首部に掛止される掛止部と、保持部と掛止部とをつなぐ連繋条部とを備えるキャップホルダが提案されている。
【０００３】
【特許文献１】実用登録３０６２２１０号公報
【０００４】
【特許文献２】特開２０００−２３８８３１号公報
【特許文献３】特開２００１−７２１２０号公報
【考案の開示】
【考案が解決しようとする課題】
【０００５】
ところが、前記の特許文献１〜３に記載されたキャップホルダはいずれも、連繋条部の長さが比較的短いうえ、連繋条部の柔軟性が小さく撓み量が少ないものであった。そのために、保持部に保持されているキャップをボトルから外してキャップおよび保持部を手放すと、キャップおよび保持部がボトルの瓶口部から遠く離れることなく近くに位置する。その結果、飲料を飲む際に、キャップまたは保持部が鼻や頬や顎などに当ったりキャップの飲料が顔に付着したりして不快感を与えていた。また、手放された状態のキャップ開口部が上向きになるものもあり、その場合はキャップ内にホコリなどがたまりやすく衛生的でなかった。
【０００６】
更に、特許文献１のキャップホルダは、軟質合成樹脂製の保持部の天板に上下貫通孔を形成し、この上下貫通孔に軸体を上下移動自由に挿通し、天板下方位置の軸体に円板を設け、天板上方位置の軸体に連繋条部を連結し、天板上方位置の軸体を横方向に押してこじることにより、保持部を横方向に弾性変形させてキャップから外すようになっていた。このキャップホルダでは、保持部が軟質合成樹脂で構成されているので、比較的少ないキャップ着脱回数で伸びてしまいキャップが外れやすくなるという不都合がある。また、保持部が柔らかくて弾性変形するので、キャップと保持部の装着・取り外しは必ず両手を使わなければならず面倒であった。
【０００７】
本考案は、上記した従来の問題点に鑑みてなされたものであって、キャップと保持部の装着・取り外しを容易に行なうことのできるキャップホルダの提供を目的とする。
【課題を解決するための手段】
【０００８】
上記目的を達成するために、本考案に係るキャップホルダは、下面にキャップ装着口を有する有天筒状に形成されていて前記キャップ装着口から装入されたボトルのキャップを着脱可能に保持する保持部と、ボトルの首部に掛止される掛止部と、保持部と掛止部とをつなぐ連繋条部とを備えるキャップホルダであって、保持部の天板に形成された上下貫通孔に軸体を上下移動自由に挿通し、天板下方位置の軸体に抜け止め掛止部を設けるとともに天板上方位置の軸体に押下ボタン部を設け、天板上方位置の軸体または押下ボタン部に連繋条部を連結し、押下ボタン部の下降により軸体の抜け止め掛止部が保持部内のキャップを押下する構成にしてある。
【０００９】
また、前記構成において、保持部およびキャップの重みにより垂れ下がる可撓性材料から構成された連繋条部で、保持部と掛止部とをつないだものである。
【００１０】
そして、前記した各構成において、掛止部と、所定の剛性を有する剛性材料から構成された保持部とを連繋条部でつないだものである。
【００１１】
更に、前記した各構成において、垂れ下がった保持部がボトル側面の手で持たれる部分に届く長さの連繋条部で、保持部と掛止部とをつないだものである。
【００１２】
また、前記した各構成において、保持部の内周面に、径方向内向きに突出した複数の突条が周方向所定ピッチで形成されているものである。
【考案の効果】
【００１３】
本考案に係るキャップホルダによれば、保持部天板の上下貫通孔に軸体を上下移動自由に挿通し、天板下方位置の軸体に抜け止め掛止部を設け、天板上方位置の軸体に押下ボタン部を設けてあるので、保持部内にキャップが保持されている状態で押下ボタン部を指などで押し下げると、キャップが軸体の抜け止め掛止部により押し下げられる。これにより、キャップを保持部から簡単に取り外すことができる。
【００１４】
また、連繋条部が保持部およびキャップの重みにより垂れ下がる可撓性材料から構成されているものでは、手放された保持部およびキャップがキャップホルダの最下位置に垂れ下がることと、軸体が天板に配置された保持部の重心構造を持つこととにより、垂れ下がったキャップの下面は下向きとなる。従って、キャップ内にホコリなどが付着しにくく衛生的に使用することができる。
【００１５】
そして、保持部が所定の剛性を有する剛性材料から構成されているものでは、保持部が弾性変形しないので、保持部にキャップを装着しやすく、横方向から外力が加えられても保持部がキャップから外れにくい構造を得ることができる。
【００１６】
更に、垂れ下がった保持部がボトル側面の手で持たれる部分に届くように、連繋条部の長さが設定されているものでは、垂れ下がった保持部やキャップ、あるいは連繋条部を、ボトルを持った手の指で留め持つことができる。これにより、鼻や頬や顎などにキャップが当ったり、キャップの飲料が付着したりするという不快感が解消される。
【００１７】
また、保持部の内周面に、径方向内向きに突出した複数の突条が周方向所定ピッチで形成されているものでは、キャップを保持した保持部を回したときに、保持部がキャップに対して空回りすることを防止できる。
【考案を実施するための最良の形態】
【００１８】
本考案の最良の実施形態を図面に基づいて説明する。尚、以下に述べる実施形態は本考案を具体化した一例に過ぎず、本考案の技術的範囲を限定するものでない。図１は本考案の一実施形態に係るキャップホルダの正面図、図２は前記キャップホルダの保持部を示す底面図、図３は前記キャップホルダの保持部をボトルのキャップに装着した状態を示す一部断面を含む部分正面図、図４は前記キャップホルダの保持部をボトルのキャップに装着した状態を示す斜視図である。
各図において、この実施形態に係るキャップホルダ１は、下面にキャップ装着口２を有し上面が天板６でふさがれて有天円筒状に形成された保持部３と、飲料容器であるボトルＢの首部Ｂ１に掛止される掛止部５と、保持部３と掛止部５とをつなぐ連繋条部４とから主として構成されている。
【００１９】
保持部３は例えばスチロール樹脂（剛性材料の例）で形成されており、そのキャップ装着口２はボトルＢのキャップＰを挿入可能な大きさに設定されている。また、保持部３の周壁１７の内周面は、挿入されたキャップＰの外周面と接してキャップＰを着脱可能に保持する形状・寸法に設定されている。また、保持部３は、キャップＰを収容した状態の保持部３の周壁１７を横方向に押してもほとんど弾性変形することがなくキャップＰから離脱しない程度の剛性を有している。この例では透明なスチロール樹脂が使用されている。そして、保持部３の天板６の平面視中央部分には上下貫通孔７が形成されている。この上下貫通孔７に軸体８が上下移動自由に挿通される。
【００２０】
軸体８において天板６下方に位置する下端部には、天板６の下面で掛止される抜け止め掛止部９が設けられており、上下貫通孔７よりも大径に形成されている。天板６上方に位置する軸体８の上端部には、押下ボタン部１９がネジ止めなどで固着されている。抜け止め掛止部９と挿通孔１１との間の軸体８の長さは、利用者が指などで押下ボタン部１０を押し下げたときに、軸体８の抜け止め掛止部９が保持部３の天板６下方のキャップＰの天板２３を押下して、キャップＰが保持部３から離脱するように十分な長さに設定されている。天板６上方位置であって押下ボタン部１０下方位置の軸体８には、挿通孔１１が横方向に貫通して形成されている。
【００２１】
軸体８の挿通孔１１には留め輪１２が挿通されており、留め輪１２に連繋条部４が通されている。連繋条部４は、保持部３およびキャップＰの重みにより垂れ下がる程度の可撓性を有する軟質合成樹脂（例えば軟質ポリエチレン、軟質ポリアミド、軟質ポリ塩化ビニルなど）製または繊維紐製などの条体２６（可撓性材料の例）で構成されている。条体２６は留め輪１２を通されて、その両端が留め輪１２の近傍位置で止め具１４によりカシメ固定される。更に、止め具１４よりも留め輪１２から離れた側の条体２６，２６が、掛止輪調節具１５の挿通孔１６内を通される。掛止輪調節具１５の挿通孔１６は、手で条体２６，２６を引けば掛止輪調節具１５に対して移動させられるが、手で引かない場合は条体２６，２６をその位置で締め付け保持するような開口断面に形成されている。
【００２２】
このように、掛止輪調節具１５に対し留め輪１２寄りの条体２６が連繋条部４として構成され、掛止輪調節具１５に対し連繋条部４と反対側の輪部が掛止部５として構成される。この場合、連繋条部４は、ボトルＢの瓶口部２２から外されて垂れ下がったキャップＰおよび保持部３がボトルＢの本体側面の手持部分Ｂ２（手で持たれる部分；図６参照）に届く長さに設定されている。また、連繋条部４が回転・移動自由に通される留め輪１２と、留め輪１２が回転・移動自由に通される軸体８の挿通孔１１とから、保持部３に対し連繋条部４の向きを可変とする自在継手部１３が構成される。尚、この例では、条体２６により掛止部５および連繋条部４を一連に構成しているが、本考案に関しては掛止部と連繋条部を別部品で構成してもよい。無論、連繋条部４は保持部３のみの重みにより垂れ下がる可撓性のものを採用してよい。
【００２３】
本実施形態のキャップホルダ１が適用されるボトルＢは、例えばペット（ＰＥＴ）ボトルであって、ボトル本体の上部に縮径して形成された首部Ｂ１を有している。首部Ｂ１の上部は飲み口２１を有する瓶口部２２となっており、瓶口部２２の外周面には雄ネジ部が形成されている。瓶口部２２の外周面に装着されて飲み口２１を蓋止するキャップＰは、下面開口２５を有し上面が天板２３でふさがれた有天円筒状に形成されている。キャップＰの周壁２０の内周面には瓶口部２２外周の雄ネジ部と螺合する雌ネジ部が形成されている。
【００２４】
そしてキャップＰの周壁２０の外周面には、図５に示すように、径方向外向きに突出した縦長の例えば６０個の突条１９，１９，１９，・・・が周方向にピッチＴ１の間隔で形成されている。これに対し、保持部３の周壁１７の内周面には、径方向内向きに突出した縦長の例えば１２０個の突条１８，１８，１８，・・・が周方向にピッチＴ２の間隔で形成されている。これらの突条１９，１９，１９，・・・と突条１８，１８，１８，・・・は着脱可能に噛み合うことにより、装着状態の保持部３とキャップＰが周方向に位置ズレしないようになっている。すなわち、本考案において、保持部内周面に設ける突条の所定ピッチは、キャップ外周面の突条のピッチの整数分の１倍長に設定されており、突条１８，１８，１８，・・・は突条１９，１９，１９，・・・のピッチＴ１の１／２倍長のピッチＴ２で形成されている。
【００２５】
上記のように構成されたキャップホルダ１の作用を次に説明する。まず、ループ径を大きくした掛止部５がボトルＢの首部Ｂ１に掛けられる。つぎに、掛止輪調節具１５を首部Ｂ１に近づけて掛止部５のループ径を絞る。これにより、掛止部５はボトルＢの首部Ｂ１にしっかりと掛止される。そして、ボトルＢの瓶口部２０を蓋止しているキャップＰに保持部３のキャップ装着口２を被せて、キャップＰを保持部３内の最奥部まで装入する。これにより、キャップ装着口２から装入されたキャップＰが保持部３にしっかりと保持される。すなわち、片手で容易に保持部３をキャップＰに装着することができる。同時に、保持部３の突条１８，１８，１８，・・・もキャップＰの突条１９，１９，１９，・・・と噛み合う（図４参照）。このとき、キャップＰの天板２３上面は軸体８を押し上げている。そうして、瓶口部２２の開閉に際してキャップＰを周方向に回すと、軸体８は保持部３の上下貫通孔７に対して３６０°回動自在であるから、軸体８、押下ボタン部１０、留め輪１２、連繋条部４、止め具１４、掛止輪調節具１５、および掛止部５は、キャップＰに随伴して回ることがない。これにより、キャップＰのスムーズな回転が可能となり、キャップＰおよび保持部３を回したときに連繋条部４が絡まるといった不具合を生じない。
【００２６】
キャップＰを回して外したのち、キャップＰおよび保持部３から手を離すと、キャップホルダ１およびキャップＰを合わせた重みと連繋条部４の柔軟性とにより連繋条部４が撓んで、図６に示すように、保持部３がキャップホルダ１の最下位置に垂れ下がる。この場合、掛止部５から保持部３まで連繋条部４の長さが、従来技術で述べた特許文献１〜３記載のキャップホルダの連繋条部と比べてかなり長い。すなわち、保持部３およびキャップＰの位置は、ボトルＢの本体側面において利用者の手で持たれる手持部分Ｂ２となる。これにより、垂れ下がった保持部３やキャップＰ、あるいは連繋条部４を指で持つことができる。その結果、キャップＰが鼻や頬や顎などに当ったり、キャップＰの飲料が顔などに付着したりするという不快感が解消される。また、保持部３の天板６へ軸体８を取り付けた配置と、留め輪１２および挿通孔１１からなる自在継手部１３の機能と、連繋条部４の柔軟性とにより、垂れ下がったキャップＰの下面開口２５は必ず下向きとなる。これにより、キャップＰ内にホコリなどが付着しにくく衛生的となる。
【００２７】
そして、保持部３に装着されているキャップＰを取り外す場合は、図７に示すように、例えば親指と中指で保持部３の周壁１７を挟み持ち、人差指で押下ボタン部１０を押す（矢印Ｄ方向）と、軸体８の抜け止め掛止部９がキャップＰを押し下げてキャップ装着口２から離脱させる。これにより、保持部３からのキャップＰの取り外しを片手で容易に行なうことができる。また、軸体８よりも太径の押下ボタン部１０を軸体８に取り付けたことにより、軸体８に大きな力をかけ得るうえ、指が痛くならないという効果もある。
【００２８】
更に、この実施形態のキャップホルダ１では、保持部３がキャップＰの上面から装着されてキャップ装着口２以外のキャップ全体を覆うので、何度でも衛生的に使用することができる。また、汚れが付いても水洗いできる。また、保持部３は剛性材料で構成されているので弾性変形しない。従って、保持部３にキャップＰを装着しやすく、装着した後は周壁１７に横方向の外力が加えられてもほとんど変形しないから、保持部３がキャップＰから外れにくい。しかも、着脱を多数回繰り返して使用することができる。
【００２９】
そして、連繋条部４は十分な長さが確保されているので、各種容量のボトルに対応することができる。また、連繋条部４が軟質であることに加えて、連繋条部４が自在継手部１３および軸体８を介して保持部３と連結されたことにより保持部３の向きが自由になるので、様々な形状のボトルＢへの装着が可能となる。また、掛止輪調節具１５の条体２６上の位置を調整することにより、ボトルＢの首部Ｂ１に掛止部５を締め付ける構造であるため、首部Ｂ１の太さにかかわらず、安定した掛止部５の掛止が可能である。
【００３０】
そうして、キャップホルダ１は全体的に透明感のある配色にされ、性別・年齢を問わず携行しやすいデザインとなっている。特に、保持部３は透明であるのでキャップＰ表面の印刷を隠蔽しなくて済み、硬質であるので保持部３の表面に企業ロゴなどの印刷をすることもできる。無論、このキャップホルダ１を装着してボトルＢはキャップＰの開閉時以外は片手のみで持ち歩けるので、山歩きなどのアウトドア用として有用に活用できる。
【００３１】
尚、上記の実施形態では、連繋条部４の端部を天板６上方位置の軸体８に留め輪１２を介して連結したが、本考案はそれに限定されるものでなく、連繋条部の端部を押下ボタン部に連結しても構わない。
また、上記の実施形態では、ほぼ円柱状の押下ボタン部１０を例示したが、本考案の押下ボタン部は上記実施形態の形状に限るものでない。すなわち、本考案の押下ボタン部の形状として、例えばキャラクター人形の形状に形成したものや、表面にキャラクター人形その他の図形や文字を描いたものも含まれることは言うまでもない。
【図面の簡単な説明】
【００３２】
【図１】本考案の一実施形態に係るキャップホルダの正面図である。
【図２】前記キャップホルダの保持部を示す底面図である。
【図３】前記キャップホルダの保持部をボトルのキャップに装着した状態を示す一部断面を含む部分正面図である。
【図４】前記キャップホルダの保持部をボトルのキャップに装着した状態を示す斜視図である。
【図５】前記キャップホルダの保持部をボトルのキャップに装着した状態を示す部分平断面図である。
【図６】前記キャップホルダの保持部およびキャップを垂れ下げた状態を示す正面図である。
【図７】前記キャップホルダの保持部からキャップを取り外す態様を示す説明図である。
【符号の説明】
【００３３】
１    キャップホルダ
２    キャップ装着口
３    保持部
４    連繋条部
５    掛止部
６    天板
７    上下貫通孔
８    軸体
９    抜け止め掛止部
１０  押下ボタン部
１１  挿通孔
１２  留め輪
１７  周壁
１８  突条
２６  条体
Ｂ    ボトル
Ｂ１  首部
Ｂ２  手持部分
Ｐ    キャップ
Ｔ２  ピッチ
【図１】
0003135961.tif 000003
【図２】
0003135961.tif 000004
【図３】
0003135961.tif 000005
【図４】
0003135961.tif 000006
【図５】
0003135961.tif 000007
【図６】
0003135961.tif 000008
【図７】
0003135961.tif 000009